(57)【要約】【課題】簡単な構成でコードのよじれを引き起こさない、優れたコード収納装置を提供する。【解決手段】ケース本体１０にコード収納室２を形成し、このコード収納室２の中央部に第１の軸部２１を設ける。第１の軸部２１には、回転自在に回転体３を取りつけ、この回転体３に第２の軸部３１を設ける。第１、第２の軸部２１、３１、ケース本体１０には、それぞれ第１、第２、第３のスリット２１Ａ、３１Ａ、１０Ａを形成する。コード６は、一端部を第１のスリット２１Ａに挿入し、他端部を第２、第３のスリット３１Ａ、１０Ａを通してケース本体１０の外部に導出する。回転体３を回転させることにより、コード６がよじれることなく、第１、第２の軸部２１、３１にそれぞれ捲回され収納される。【選択図】　図１
2004047320.tif 000002
【特許請求の範囲】
【請求項１】
コードを捲回して収納するコード収納室を備えたコード収納装置であって、
前記コード収納室内の中心部に固設した第１の軸部を有する円板体と、
前記コード収納室内において前記円板体との境界部分に略円筒状の第２の軸部を有し、前記第１の円板体の外側に同心状で回転可能に設けた回転体と、
前記第２の軸部に形成したスリットと
を備え、
前記回転体の回転とともに回転する前記第２の軸部の前記スリットを通して前記コードを前記第１、第２の軸部に同時に捲回するように構成したことを特徴とするコード収納装置。
【請求項２】
コードを捲回して収納するコード収納室を備えたコード収納装置であって、
前記コード収納室の中心部に固設した第１の軸部と、
前記コード収納室内において前記第１の軸部と同心状で回転可能に設けた円板体と、
前記円板体の半径方向の中間に設け前記コード収納室を内外に２分する略円筒状の第２の軸部と、
この第２の軸部に形成したスリットと
を備え、前記円板体の回転とともに回転する前記第２の軸部のスリットを通して前記コードを前記第１、第２の軸部に同時に捲回するように構成したことを特徴とするコード収納装置。
【請求項３】
前記コード収納室を備えたケース本体の前記コード収納室を臨む壁面の一部に前記第２の軸部に形成したスリットとは別のスリットを形成し、
このスリットを通して前記コードの先端部を前記ケースの外方に引出すとともに、前記コードの基端部を前記第２の軸部に形成した前記スリットを通して前記第２の軸部よりも内方のコード収納室内に導くように構成したことを特徴とする請求項１又は２記載のコード収納装置。
【請求項４】
前記コード収納室を形成した前記ケース内に各種電気部品を収納するための収納部を別に設け、
この収納部に収納された各種電気部品を前記コードの基端部と電気的に接続したことを特徴とする請求項２又は３に記載のコード収納装置。
【請求項５】
各種電気部品として、ＡＣ電源に直接接続されるコネクタ、ＡＣ電源をＤＣ電源に変換する各種電気部品を含んでいることを特徴とする請求項４記載のコード収納装置。
【発明の詳細な説明】
【０００１】
【発明の属する技術分野】
本発明は、電源コードやマイク、イヤホーンコードなどのコードを巻取り収納することができるコード収納装置に関する。
【０００２】
【従来の技術】
一般に、コードを巻取り収納するコード収納装置では、コードを巻き取る軸部を必ず回転させなければならないため、この軸部よりコードの一端を直接引出すと、コードを捲き取る毎に収納されたコードが大きくよじれ、これが何度も繰り返されるとコードの断線につながることがある。
【０００３】
そのため、従来、この種のコード収納装置では、例えば図８に示すように、コード１０１を巻き取る軸部１０２にコネクタ１０３を取付け、そのコネクタ１０３に、軸部１０２に巻き取られるコード１０１の基端を接続するとともに先端を外周から出し入れするようにすることが多い。
【０００４】
また、これ以外にも、例えば、コードを巻き取る軸部に接触電極を設けるのと同時にこれに接触・導通するスリップリングを軸部の近傍に取付けて電気的な接続を図るように構成し、軸部に巻き取られるコードの一端を、そのスリップリングを介して外部に引出すコードと電気的に接続するものも知られている。
【０００５】
【発明が解決しようとする課題】
しかしながら、この種のコード収納装置では、例えば前者のようなタイプの場合、軸部に設けたコネクタに外部から何も接続しない状態で軸部にコードを巻き取ったり、引出したりしなければならず、コネクタに別のコードを接続しておくと、そのコードがよじれるという問題がある。
【０００６】
また、スリップリングを設けた後者のタイプのものでは、コードのよじれは解消できるものの、スリップリングを用いる関係で、その構造が複雑になると共に、充分な電気的接続を確保するのが難しくなるという問題があった。
【０００７】
本発明は、以上のような従来の問題点を解決するものであり、簡単な構成でコードのよじれを引き起こさない、優れたコード収納装置を提供することを目的とするものである。
【０００８】
【課題を解決するための手段】
本発明のコード収納装置は、コードを捲回して収納するコード収納室を備えたコード収納装置であって、
前記コード収納室内の中心部に固設した第１の軸部を有する円板体と、
前記コード収納室内において前記円板体との境界部分に略円筒状の第２の軸部を有し、前記第１の円板体の外側に同心状で回転可能に設けた回転体と、
前記第２の軸部に形成したスリットと
を備え、
前記回転体の回転とともに回転する前記第２の軸部の前記スリットを通して前記コードを前記第１、第２の軸部に同時に捲回するように構成したことを特徴としている。
【０００９】
この構成により、第１の軸部は、コード収納室と共に固定された状態にあり、第２の円板体を回転させ、第１、第２の軸部にそれぞれコードを連続して捲回させた場合でも、第１の軸部が回転することがなく、コードのよじれがほとんど生じないという作用を有する。
【００１０】
また、本発明のコード収納装置は、コードを捲回して収納するコード収納室を備えたコード収納装置であって、
前記コード収納室の中心部に固設した第１の軸部と、
前記コード収納室内において前記第１の軸部と同心状で回転可能に設けた円板体と、
前記円板体の半径方向の中間に設け前記コード収納室を内外に２分する略円筒状の第２の軸部と、
この第２の軸部に形成したスリットと
を備え、前記円板体の回転とともに回転する前記第２の軸部のスリットを通して前記コードを前記第１、第２の軸部に同時に捲回するように構成したことを特徴としている。
【００１１】
この構成により、第１の軸部は、コード収納室と共に固定された状態にあり、円板体を回転させ、第１、第２の軸部にそれぞれコードを連続して捲回させた場合でも、第１の軸部が回転することがなく、コードのよじれがほとんど生じないという作用を有する。
【００１２】
また、本発明のコード収納装置は、前記コード収納室を備えたケース本体の前記コード収納室を臨む壁面の一部に前記第２の軸部に形成したスリットとは別のスリットを形成し、
このスリットを通して前記コードの先端部を前記ケースの外方に引出すとともに、前記コードの基端部を前記第２の軸部に形成した前記スリットを通して前記第２の軸部よりも内方のコード収納室内に導くように構成したことを特徴としている。
【００１３】
この構成により、コードを基端は第１の軸部から、先端はコード収納室の外周から、それぞれ引出すことができ、その引出し位置をそれぞれ固定することができる。
【００１４】
また、本発明のコード収納装置は、前記コード収納室を形成した前記ケース内に各種電気部品を収納するための収納部を別に設け、
この収納部に収納された各種電気部品を前記コードの基端部と電気的に接続したことを特徴としている。
【００１５】
この構成により、各種電気部品を収納する収納部と一体化することができ、例えば、各種機器に一体的に構成することができる。
【００１６】
また、本発明のコード収納装置は、各種電気部品として、ＡＣ電源に直接接続されるコネクタ、ＡＣ電源をＤＣ電源に変換する各種電気部品を含んでいることを特徴としている。
【００１７】
この構成により、各種機器に使用する電源アダプタ付のコード収納装置とすることができ、別に電源アダプタを必要としないという作用を有する。
【００１８】
【発明の実施の形態】
以下、本発明の実施の形態について、添付図面を参照しながら詳細に説明する。
図１は本発明の一実施の形態に係るコード収納装置１の断側面図、図２は同じコード収納装置１のＩ−Ｉ線断側面図である。
本発明の一実施の形態に係るコード収納装置１は、図１及び図２に示すように、ケース本体１０の上面側にコード収納室２が形成されており、このコード収納室２には、中心部にケース本体１と一体に形成された円筒状の第１の軸部２１が（固設）配置されているとともに、第１の軸部２１と同心状でこの第１の軸部２１に対して回転可能な（回転フリー状態の）回転体３が収納されている。
【００１９】
この回転体３には、円筒状に形成された第２の軸部３１が一体に、換言すれば第１の軸部２１と同心状に立設されており、コード収納室２は、この第２の軸部３１で、内周側と外周側とにそれぞれ２分（第１コード室及び第２コード室）されている。さらに、この回転体３には、コード収納室２の開口部２Ａを覆う蓋体３２を備えている。
【００２０】
この蓋体３２の外面には、回転体３を指などで回転操作するのに便利なように、指などが挿入可能な窪み３２が形成されている。なお、ここで、回転体３を回転操作するための手段としては、この実施の形態での窪み３２に代えて、回転体３から突出した取手などであってもよく、また、その取手は、回転体３に対して折畳み自在であってもよいことは言うまでもないことである。
【００２１】
また、ケース本体１０の上面には、回転体３をコード収納室２に収納した状態で、回転体３がコード収納室２より抜け出ないようにするための閉止蓋１１が装着されている。
【００２２】
さらに、ケース本体１０には、各種部品を収納する収納室５が形成されている。この収納室５には、このコード収納装置１の収納されたコード６に接続される各種の電気製品をＡＣ電源に接続するためのコネクタ５１、ＡＣ電源の電圧を適当に降圧させるためのトランス５２、降圧されたＡＣ電源をＤＣ電源に変換する整流、平滑回路などを構成する各種電気部品５３、これらの電気部品を取りつける印刷配線板５４などが、それぞれ収納されている。
【００２３】
なお、ここで、コネクタ５１は、図２に示すように、点線で示す状態（ケース本体１に収納した状態）と、実線で示す状態（ケース本体１０より突出させた状態）の２つの状態を取り得るように構成されており、実線で示す状態のときにＡＣ電源に直接接続可能となるように構成されている。
【００２４】
そして、コード収納室２の中心部に設けた第１の軸部２１、回転体３に設けた第２の軸部３１、ケース本体１０のコード収納室２に対向する部分には、それぞれ、第１、第２、第３のスリット２１Ａ、３１Ａ、１０Ａが形成されており、これらのスリット２１Ａ、３１Ａ、１０Ａを通してコード６が第１の軸部２１の内部からケース本体１０の外部に導かれている。
【００２５】
すなわち、コード６は、図２及び図３に示すように、一端がスリット（第１のスリット）２１Ａを通して第１の軸部２１の内部に導かれており、ここで、各種電気部品を取りつけた印刷配線板５３に接続されている。一方、コード６の他端は第２のスリット３１Ａ、第３のスリット１０Ａを通してケース本体１０の外周部に導出されている。
【００２６】
次に、本実施の形態について、その動作を詳細に説明する。
始めに、コード６は、コード収納装置１のケース本体１０から全て取出したときには、図３に示す状態にあるものとする。
【００２７】
ここで、窪み３２Ａを利用して回転体３を回転し、第２の軸部３１を図３に示す矢印の時計方向に回転させると、これと一体の第２のスリット３１Ａも一体に同方向同速度で回転するので、第２のスリット３１Ａの第１の軸部２１に対する相対位置が移動し、この第２のスリット３１Ａの回転移動動作により、コード６が第１の軸部２１に対しても巻装されていくこととなる。
【００２８】
その結果、図４に示すように、コード６が第１の軸部２１、第２の軸部３１にそれぞれ同じ回転数ずつ捲回されることになる。換言すれば、第２の軸部３１が第１の軸部２１を回転中心としてこの第１の軸部２１の周囲を回転する。しかも、このときの回転運動の際に、コード６は撓むことなくスムースに双方の軸部に巻き取られていく。
【００２９】
従って、コード６をコード収納装置１に巻装させるときには、第１の軸部２１、第２の軸部３１に同時にコード６が巻装されていくが、このとき、第１の軸部２１に巻装されるコード部分は、第２の軸部３１に巻装された分が空滑りしながら第２の軸部３１から引出されて第１の軸部２１へ供給されているようになっている。
一方、この第１の軸部２１へ供給された分だけ、ケース本体１０の外部からこの第１の軸部２１へ巻き取っていくようになっており、これにより、第１の軸部２１、第２の軸部３１にそれぞれ同ターン数ずつ巻装されることとなる。
そして、最終的には、図５に示すような状態に巻き取られ、収納されることになる。
【００３０】
ところで、この場合、コード６は、第２のスリット３１Ａ、第３のスリット１０Ａを通してそれぞれ内側にスライドし、第１の軸部２１、第２の軸部３１にそれぞれ巻き取られる。そのため、第２の軸部３１に巻き取られたコード６と第２の軸部３１との間は勿論のこと、第２の軸部３１に巻き取られたコード６と同じく第１の軸部２１に巻き取られたコード６との間でも、それぞれコード６がスムースにスライドする必要がある。
従って、本実施の形態では、これらの間のスライドが常にスムースになるように、コード６として摩擦抵抗ができるだけ少なく滑りのよい被覆を有するものを用いるようにしている。
【００３１】
また、図示していないが、コード６のスライド動作をよりスムースに行うためには、第２のスリット３１Ａ部分において、コード６がより一層スムースにスライドするように構成する必要がある。そこで、本実施の形態では、図示していないが、第２のスリット３１Ａのコード６が接触する側を断面半円状に形成し、滑りを良くするようにしている。
【００３２】
なお、この第２のスリット３１Ａにおいて、このスリット３１Ａ部分に回転可能なローラを設け、このローラを介してコード６がスリット３１Ａから出入するように構成してもよい。このように構成すれば、構造は若干複雑になるが、コード６をよりスムースにスライドさせることができるようになる。
【００３３】
コード６を引出す場合は、第３のスリット１０Ａより外側に出ているコード６の部分を単に手で引張るだけでよく、この場合には、コード６を引張ることにより回転体３が矢印と反対の方向に回転し、コード６が、順次、第２、第３のスリット３１Ａ、１０Ａを通して外側に導出・引出されることになる。
なお、この場合、回転体３の回転に適度な制動力が作用していないと、コード６がスライドせずに回転体３のみ回転し、第１の軸部２１に捲回されたコード６が充分に引出されずに、第２の軸部３１に捲回されたコード６のみが引出されて、第１、第２の軸部２１、３１間でコード６が詰まってしまうという問題が生じる。
【００３４】
そのため、本実施の形態では、図示していないが、回転体３が図中矢印と反対の方向に回転する場合には、回転体３の回転に適度な制動力が作用するように構成している。このように構成すれば、コード３をケース本体１０の外部より引張った場合、回転体３が適度な制動力を受けて回転し、コード６がこの制動力の働きでスムーズにスライドし、第１、第２の軸部２１、３１にそれぞれ捲回されていたコード６がそれぞれ適量づつ引出されることになり、図５に示す状態から図４、図３に示す状態にそれぞれ移行することになる。
【００３５】
以上、説明したように、本実施の形態によれば、コード６の巻取り、引出しに関係なく、コード６の一端は固定状態にあり回転しないため、コード６の巻き取り、引出しに際し、コード６がよじれることがほとんどなく、簡単な構成でよじれの少ない優れたコード収納装置を提供することが可能である。
【００３６】
なお、この発明のコード収納装置１としては、この実施形態のような構成のもの、つまり図６に示すように、第２の軸部３１より外方の回転体３のみが回転する構成のものに限定されるものではない。例えば、図７に示すように、第２の軸部７１の内外に位置する円板体７が一体のもので構成されており、そのため、この第２の軸部７１の内外の円板体７が一体で回転するような構成としてもよい。このような構成であっても、第２の軸部７１の回転とともに第２のスリット７１Ａも一体に回転するので、これによって、第１及び第２の軸部２１及び７１の外周面にコードが同時に捲回して収納できる。
【００３７】
【発明の効果】
以上説明したように、発明によれば、コードの一端をケース本体の内部に固定的に装着することが可能であり、したがって、コードを巻き取ったり、引出したりしたときに、それぞれコードがよじれることがほとんどなく、コードのよじれの少ない優れたコード収納装置を提供することができる。
【図面の簡単な説明】
【図１】本発明の一実施の形態におけるコード収納装置の断側面図である。
【図２】図１に示す本発明の一実施の形態におけるコード収納装置のＩ−Ｉ線断面図である。
【図３】本発明の一実施の形態におけるコード収納装置において、コードの捲き始め状態を示す要部断側面図である。
【図４】本発明の一実施の形態におけるコード収納装置において、コードを２回転巻いた状態の要部断側面図である。
【図５】本発明の一実施の形態におけるコード収納装置において、コードを捲き終わった状態の要部断側面図である。
【図６】本発明の一実施の形態におけるコード収納装置の原理を示す説明図である。
【図７】本発明の一実施の形態におけるコード収納装置の変形例の原理を示す説明図である。
【図８】従来のコード収納装置を示す概略斜視図である。
【符号の説明】
１　　　コード収納装置
１０　　　ケース本体
１１　　閉止蓋
２　　　コード収納室
１０Ａ　第３のスリット
２１　　第１の軸部
２１Ａ　第１のスリット
３　　　回転体
３１　　第２の軸部
３１Ａ　第２のスリット
３２　　蓋体
３２　　窪み
５　　　収納室
５１　　コネクタ
５２　　トランス
５３　　電子部品
５４　　印刷配線板
６　　　コード
７　　　円板体
７１　　第２の軸部
７１Ａ　第２のスリット
【図１】
2004047320.tif 000003
【図２】
2004047320.tif 000004
【図３】
2004047320.tif 000005
【図４】
2004047320.tif 000006
【図５】
2004047320.tif 000007
【図６】
2004047320.tif 000008
【図７】
2004047320.tif 000009
【図８】
2004047320.tif 000010